(57)【要約】【課題】原稿情報及びメモ情報のそれぞれを効率的に管理し、複数の人々とのコミュニケーションを可能にすることができる表示制御システムを提供することを目的とする。【解決手段】表示制御サーバが、主導利用者側端末の設定要求に応じて利用者を定義する定義情報及び複数の利用者に利用されるキャンパス情報を管理し、認証した利用者側端末にキャンパス情報を送信し、利用者側端末から送信依頼されたメモ情報又は、メモ情報の削除情報を定義情報に基づいて、所定の利用者側端末にメモ情報を送信し、利用者側端末は、キャンパス情報と共に他の参加者が作成送信したメモ情報又はメモ情報の削除情報を受信し、表示又は表示していたメモ情報を削除し、キャンパス上にメモ情報を作成、表示し、作成者を示す情報を付加して、メモ情報、又は削除情報を表示制御サーバーに送信する構成とされる。【選択図】        図２
2004302698.tif 000002
【特許請求の範囲】
【請求項１】
電子会議を行う複数の利用者によって共有可能であって、各利用者の利用者側端末に入力された一つ又は二つ以上のメモの表示を制御する表示制御システムであって、
表示制御サーバは、
主導利用者側端末の設定要求に応じて、上記電子会議に参加する利用者を定義する定義情報を管理する定義情報管理手段と、
主導利用者側端末の設定要求に応じて、上記複数の利用者に共通して利用されるキャンパス情報を管理するキャンパス情報管理手段と、
上記電子会議に参加する利用者を認証し、認証した上記利用者の上記利用者側端末に上記キャンパス情報を送信し、上記利用者側端末から送信依頼されたメモ情報または、既に表示されていたメモ情報の削除情報を上記定義情報に基づいて、所定の利用者側端末に送信する情報制御手段とを有し、
電子会議に参加する上記利用者側端末は、
上記キャンパス情報と共に他の参加者が作成し、送信した上記メモ情報、又は既に表示されていた上記メモ情報の削除情報を受信し、表示、又は既に表示していたメモ情報を削除するメモ表示制御手段と、
キャンパス上にメモ情報を作成、表示し、必要に応じて他の参加者に作成者を示す情報を付加して、メモ情報、又は既に送信したメモ情報の削除情報を上記表示制御サーバーに送信するメモ情報管理手段とを有することを特徴とする表示制御システム。
【請求項２】
上記利用者側端末の１つが、上記表示制御サーバの機能を持つことを特徴とする請求項１記載の表示制御システム。
【請求項３】
上記キャンパス情報が空白、または画像情報であることを特徴とする請求項１又は２記載の表示制御システム。
【請求項４】
上記キャンパス情報がオブジェクト情報であることを特徴とする請求項１乃至３いずれか一項記載の表示制御システム。
【請求項５】
上記キャンパス情報が、Ｗｅｂページの画面コピーであることを特徴とする請求項１乃至４いずれか一項記載の表示制御システム。
【請求項６】
上記キャンパス情報管理手段は、上記電子会議が終了したとき、上記キャンパス情報及び上記メモ情報を変更不可状態で管理することを特徴とする請求項１乃至５いずれか一項記載の表示制御システム。
【請求項７】
上記メモ情報管理手段は、上記利用者側端末でキャンパスに入力された上記メモ情報の位置を示す位置情報を管理し、
上記メモ表示制御手段は、上記位置情報に基づいて、上記利用者側端末で上記キャンパスの同位置に上記メモ情報を表示することを特徴とする請求項６記載の表示制御システム。
【発明の詳細な説明】
【０００１】
【発明の属する技術分野】
本発明は、表示制御システムに係り、特に、ネットワークを介したコラボレーション、プレゼンテーション、会議及びＷｅｂで利用する原稿情報を変更することなく、その原稿情報にコメント等のメモ情報の入力を可能にし、原稿情報及びメモ情報を管理し、表示制御を行う表示制御システムに関する。
【０００２】
【従来の技術】
従来、ネットワークを介して、コラボレーション、プレゼンテーション、会議、商談等を行う場合、多くの人々が同じ資料を参照するために電子データの原稿情報が用いられている。この原稿情報を用いてコメント等のメモ情報を入力する場合、個人で紙媒体などの他の書面に手書きで記入したり、原稿情報に手書きの文字を電子的に入力する方法が存在する。この方法では、原稿情報をドラッグ＆ドロップで容易にコピーを行うと共に、電子データのメモ情報を入力することができ、同時に音声を記録することができる。また、他のアプリケーションで生成された原稿情報に対して編集操作を行うことができる方法もあり、その原稿情報のソース情報を同時に記録することができるため、ユーザーは編集操作やメモ情報を入力した後、元の原稿情報に戻すことができる。
【０００３】
次に、具体的な従来の方法について説明する。図１は、従来のメモ情報に関するシステムを説明するための図である。図１において、従来のメモ情報に関するシステム５は、予めシステムの管理者によりネットワークを介して取得されたＷｅｂページなどの原稿情報２が格納された原稿情報ＤＢ１を有する。例えば、利用者は、利用者側端末からシステム５へ原稿情報ＤＢ１に格納された原稿情報２を要求すると、原稿情報２が読み込まれ、利用者側端末の画面に表示される（ステップＳ１）。利用者が画面に表示された原稿情報２上にメモ情報を記入する（ステップＳ２）。原稿情報２上にメモ情報が反映された原稿情報４が表示される（ステップＳ３）。利用者から表示された原稿情報４の格納要求があった場合、原稿情報４が原稿情報ＤＢ１に格納される（ステップＳ４）。一方、利用者が所定の削除ボタン等を選択すると、メモ情報が削除された原稿情報２が表示される（ステップＳ５）。また、一端処理を終了させて原稿情報を表示させる場合、原稿情報ＤＢ１に格納された時点のメモ情報が付加された原稿情報４が表示されてしまう（ステップＳ６）。
【０００４】
また、電子メモを仮想的な透明入力シート上に表示するための表示一体型タブレットにより取得された電子メモを、対象となる文書と関連付けて記憶装置に保存する従来技術がある（例えば、特許文献１参照）。
【０００５】
更に、作業者が後で会議内容を検討したりする場合に、ウィンドウの内容を再生して、会議中に個人ウィンドウに書き込んだ内容の作成状況を確認する従来技術がある（例えば、特許文献２参照）。
【０００６】
また、電子化した会議資料の管理と、会議目次の作成、会議資料の自動配布などの会議の開催に必要な準備作業を半自動で行う従来技術がある（例えば、特許文献３参照）。
【０００７】
更に、発表者が記入したメモはサーバーに蓄積メモデータとして保存し、会議参加者のメモはローカルに保存することにより、発表者が作成したメモは会議参加者の画面上に表示し、参加者のメモは自分の画面上にのみ表示する従来技術がある（例えば、特許文献４参照）。
【０００８】
【特許文献１】
特開平１１−１３４３２７号公報
【０００９】
【特許文献２】
特開２００２−２８８１００号公報
【００１０】
【特許文献３】
特開２０００−９２０４８号公報
【００１１】
【特許文献４】
特開２００１−２５６１６５号公報
【００１２】
【発明が解決しようとする課題】
しかしながら、従来の方法において、個人レベルで原稿情報に入力されたメモ情報を付加した原稿情報を制限なく全ての利用者に提供するため、特定の利用者のみにメモ情報を表示させることができなかった。また、利用者にメモ情報が付加された原稿情報を、ネットワークを介して電子メールで送信する場合、通信容量が大きいため、通信に係る負荷が増大してしまうという問題点があった。従って、メモ情報を付加した原稿情報を管理するだけでは元の原稿情報及びメモ情報を有効に活用することができないという問題点があった。
【００１３】
また、従来の方法において、個人で紙媒体などの他の書面に手書きで記入したメモや、電子データの原稿情報に入力したメモ情報は、あくまでも個人のメモ情報としての扱いであり、他の人々とメモ情報を共有することが困難であるという問題点があった。これにより、ネットワークを介したコラボレーション、プレゼンテーション、会議、商談等のイベントにおいて、複数の人々とのコミュニケーションを妨げてしまうという問題点があった。
【００１４】
そこで、本発明の課題は、原稿情報及びメモ情報のそれぞれを効率的に管理し、特定の端末でメモ情報を表示可能にさせると共に、複数の端末でメモ情報を共有させ、複数の人々とのコミュニケーションを可能にすることができる表示制御システムを提供することである。
【００１５】
【課題を解決するための手段】
上記の課題を解決するため、本発明は、請求項１に記載されるように、電子会議を行う複数の利用者によって共有可能であって、各利用者の利用者側端末に入力された一つ又は二つ以上のメモの表示を制御する表示制御システムであって、表示制御サーバは、主導利用者側端末の設定要求に応じて、上記電子会議に参加する利用者を定義する定義情報を管理する定義情報管理手段と、主導利用者側端末の設定要求に応じて、上記複数の利用者に共通して利用されるキャンパス情報を管理するキャンパス情報管理手段と、上記電子会議に参加する利用者を認証し、認証した上記利用者の上記利用者側端末に上記キャンパス情報を送信し、上記利用者側端末から送信依頼されたメモ情報または、既に表示されていたメモ情報の削除情報を上記定義情報に基づいて、所定の利用者側端末に送信する情報制御手段とを有し、電子会議に参加する上記利用者側端末は、上記キャンパス情報と共に他の参加者が作成し、送信した上記メモ情報、又は既に表示されていた上記メモ情報の削除情報を受信し、表示、又は既に表示していたメモ情報を削除するメモ表示制御手段と、キャンパス上にメモ情報を作成、表示し、必要に応じて他の参加者に作成者を示す情報を付加して、メモ情報、又は既に送信したメモ情報の削除情報を上記表示制御サーバーに送信するメモ情報管理手段とを有する構成とされる。
【００１６】
このような表示制御システムでは、表示制御サーバが主導利用者側端末の設定要求に応じて電子会議に参加する利用者を定義する定義情報と、主導利用者側端末の設定要求に応じて複数の利用者に共通して利用されるキャンパス情報を管理し、電子会議に参加する利用者を認証し、認証した利用者の利用者側端末にキャンパス情報を送信し、利用者側端末から送信依頼されたメモ情報または、既に表示されていたメモ情報の削除情報を上記定義情報に基づいて、所定の利用者側端末に送信し、また、電子会議に参加する利用者側端末は、キャンパス情報と共に他の参加者が作成し、送信したメモ情報、又は既に表示されていたメモ情報の削除情報を受信し、表示、又は既に表示していたメモ情報を削除し、キャンパス上にメモ情報を作成、表示し、必要に応じて他の参加者に作成者を示す情報を付加して、メモ情報、又は既に送信したメモ情報の削除情報を表示制御サーバーに送信することにより、キャンパス情報及びメモ情報のそれぞれを効率的に管理し、特定の端末でメモ情報を表示可能にさせると共に、複数の端末でメモ情報を共有させ、複数の人々とのコミュニケーションを可能にすることができる。
【００１７】
利用者側端末が表示制御サーバの機能を有するという観点から、本発明は、請求項２に記載されるように、上記利用者側端末の１つが、上記表示制御サーバの機能を持つ構成としてもよい。
【００１８】
このような表示制御システムでは、利用者側端末の１つが表示制御サーバの機能を持つことにより、メモ表示制御の機能性を向上させることができる。
【００１９】
多種多様なキャンパス情報を管理するという観点から、本発明は、請求項３に記載されるように、上記キャンパス情報が空白、または画像情報である構成としてもよい。
【００２０】
このような表示制御システムでは、キャンパス情報が空白、または画像情報であることにより、多種多様なキャンパス情報を管理してキャンパス情報に汎用性を持たせることができる。
【００２１】
多種多様なキャンパス情報を管理するという観点から、本発明は、請求項４に記載されるように、上記キャンパス情報がオブジェクト情報である構成としてもよい。
【００２２】
このような表示制御システムでは、キャンパス情報がオブジェクト情報であることにより、多種多様なキャンパス情報を管理してキャンパス情報に汎用性を持たせることができる。
【００２３】
多種多様なキャンパス情報を管理するという観点から、本発明は、請求項５に記載されるように、上記キャンパス情報が、Ｗｅｂページの画面コピーである構成としてもよい。
【００２４】
このような表示制御システムでは、キャンパス情報がＷｅｂページの画面コピーであることにより、多種多様なキャンパス情報を管理してキャンパス情報に汎用性を持たせることができる。
【００２５】
電子会議の結果を変更不可状態で管理するという観点から、本発明は、請求項６に記載されるように、キャンパス情報管理手段は、上記電子会議が終了したとき、上記キャンパス情報及び上記メモ情報を変更不可状態で管理する構成としてもよい。
【００２６】
このような表示制御システムでは、電子会議が終了したとき、原稿情報及びメモ情報を変更不可状態、例えば暗号化された状態で管理することにより、後日、参加者が合意した内容であることを証明できる。
【００２７】
キャンパス情報上に入力されたメモを共有するという観点から、本発明は、請求項７に記載されるように、上記メモ情報管理手段は、上記利用者側端末でキャンパスに入力された上記メモ情報の位置を示す位置情報を管理し、上記メモ表示制御手段は、上記位置情報に基づいて、上記利用者側端末で上記キャンパスの同位置に上記メモ情報を表示する構成としてもよい。
【００２８】
このような表示制御システムでは、メモ情報管理手段は、利用者側端末で仮想的な透明領域に入力されたメモの位置を示す位置情報を管理し、位置情報に基づいて、利用者側端末で上記透明領域の同位置にメモ情報を表示することにより、複数の利用者側端末で同じ原稿情報及びメモ情報を共有させることができる。
【００２９】
また、上記課題を解決するため、本発明は、表示制御方法、及び上記表示制御システムでの処理をコンピュータに行わせるためのプログラム及びそのプログラムを格納した記録媒体とすることもできる。
【００３０】
【発明の実施の形態】
以下、本発明の実施の形態を図面に基づいて説明する。
【００３１】
図２は、本発明の実施の一形態に係る表示制御システムにおける構成図である。図２において、表示制御システム１０は、電子データである原稿情報と、その原稿情報に入力されたメモに関するメモ情報を管理すると共に、メモの表示を制御する表示制御サーバ２０と、各利用者が所有し、原稿情報へのメモの入力等を行う複数の利用者側端末３０とで構成されるシステムである。また、インターネット等の公衆回線網であるネットワーク１を介して表示制御サーバ２０と複数の利用者側端末３０とが接続される。尚、上記表示制御サーバ２０は、主導の利用者側端末として機能させることも可能である。
【００３２】
図２に示す表示制御サーバ２０は、サーバーコンピュータであって、ＣＰＵ（中央処理装置）によって以下に示す各構成が制御される。ＣＰＵは、メモリユニットに格納されたプログラムに従って表示制御システム１０での処理を行う。この表示制御サーバ２０は、主に、原稿情報及びメモの表示を同期させる制御を行う同期制御手段２１と、送信する原稿情報及びメモ情報を暗号化する暗号化手段２２と、原稿情報及びメモ情報の表示された画面をスクロールした際に位置を同期させるなどの制御を行うページャ制御手段３１と、メモ情報に基づいてメモの表示を制御するメモ情報管理手段２３と、メモ情報に基づいてメモレベルに対応する表示データを制御するメモ表示制御手段３２と、利用者側端末３０への送受信データを制御する端末制御手段２４と、電子メールの送受信等のデータ通信を制御する通信制御手段２５と、他の利用者端末３０での原稿情報及びメモの表示を制御する情報制御手段２９と、利用者側端末３０に対して定義された定義情報を管理する定義情報管理手段３３と、Ｗｅｂページの画面コピーや文書情報等の原稿情報を管理するキャンパス情報管理手段３４と、定義情報が格納された利用者定義ＤＢ２６と、原稿情報に入力されたメモに関するメモ情報が格納されたメモ情報ＤＢ２７と、原稿情報が格納された原稿情報ＤＢ２８とで構成される。メモ情報ＤＢ２７に格納されるテーブルの一部については図１３で、利用者定義ＤＢ２６に格納されるテーブルの一部については図１４で、上記メモ情報及び定義情報の構成については図２３で詳細に説明する。
【００３３】
同期制御手段２１は、利用者側端末３０へ送信した原稿情報及びメモの表示を同期させる制御を行い、制御データを情報制御手段２９に提供する。暗号化手段２２は、利用者側端末３０へ送信する原稿情報及びメモ情報を暗号化し、メモ情報管理手段２３へ暗号化データを提供する。また、暗号化手段２２は、利用者側端末３０から受信した暗号化された原稿情報及びメモ情報を復号化する機能を有している。尚、暗号化手段２２は、電子会議などが終了した時や、電子会議を行うメンバーにより合意された時、電子会議で用いられた原稿情報及びメモ情報を、表示制御サーバ２０での許可がない限り、送信先の他のメンバーにより変更が不可能な状態に暗号化する。具体的には、表示制御サーバ２０の暗号化手段２２でシステムの秘密鍵により会議終了後に、時系列に保存されたキャンパス情報（原稿情報、メモ情報等）を暗号化し、会議参加者の利用者側端末３０の暗号化手段２２でシステムの公開鍵により復号化したキャンパス情報を閲覧することができる。また、会議参加者の利用者側端末３０の暗号化手段２２は、ハッシュ関数を用いたハッシングにより、システムで暗号化した時のハッシングと比較し、暗号化された原稿情報及びメモ情報が改竄されていないか否かを判断でき、議事録、証拠として使用することができる。
【００３４】
ページャ制御手段３１は、原稿情報及びメモ情報に基づいて、画面をスクロールした際に位置を同期させるなどの表示制御を行うための制御データをメモ情報管理手段２３に提供する。メモ表示制御手段３２は、利用者定義ＤＢ２６に格納された定義情報と、メモ情報ＤＢ２７に格納されたメモ情報及び表示制御サーバ２０から送信された制御データに基づいて生成された制御データをメモ情報管理手段２３に提供する。定義情報管理手段３３は、利用者側端末３０に対して定義された定義情報を利用者定義ＤＢ２６に格納して管理する。キャンパス情報管理手段３４は、Ｗｅｂページの画面コピーや文書情報等の原稿情報を原稿情報ＤＢ２８に格納して管理する。なお、Ｗｅｂページの更新があり得ない等で原稿情報の管理に注意を払う必要がない場合は、Ｗｅｂページの画面コピーの代りにＵＲＬ情報を管理するようにしても良い。
【００３５】
メモ情報管理手段２３は、メモ情報ＤＢ２７に格納されたメモ情報、及び利用者定義ＤＢ２６に格納された定義情報とに基づいて、他の利用者側端末３０のメモの表示を制御する制御データを情報制御手段２９へ提供する。端末制御手段２４は、利用者定義ＤＢ２６に格納された定義情報に基づいて対応する利用者側端末３０へのデータ送受信を制御するための制御データを通信制御手段２５へ提供する。通信制御手段２５は、ネットワーク１によりデータの送受信を制御する通信ユニットを有し、制御データに基づいて原稿情報ＤＢ２８に格納された原稿情報及びメモ情報を所定の利用者側端末３０に送信する。
【００３６】
また、利用者側端末３０は、表示制御サーバ２０と同様の構成であるため、同符号を付して説明を省略する。尚、表示制御サーバ２０、又は主導の利用者側端末２０を介して表示制御が行われる場合、利用者側端末３０内の破線で示す構成（利用者定義ＤＢ２６、定義情報管理手段３３、端末制御手段２４、情報制御手段２９、キャンパス情報管理手段３４、原稿情報ＤＢ２８）は機能しないものとする。
【００３７】
次に、メモ情報の原理について説明する。図３は、メモ情報の原理を説明するための図である。図３において、利用者側端末３０における表示ユニットで表示されるキャンパス１１０は、Ｗｅｂサーバ１００から取得したＷｅｂページ１０１と、予め原稿情報ＤＢ２８に格納された原稿情報１０２とで構成される。キャンパス１１０は、仮想化された透明シート１１１の機能を有し、この透明シート１１１にメモが入力される。例えば、表示制御サーバ２０によりＷｅｂページ１０１がブラウザで参照される（ステップＳ１）。参照されたＷｅｂページ１０１がドラック＆ドロップでキャンパス１１０に貼り付けられ、同時にＷｅｂページ１０１の所在地（例えば、ＵＲＬ（Ｕｎｉｆｏｒｍ  Ｒｅｓｏｕｒｃｅ  Ｌｏｃａｔｏｒ））が記録される（ステップＳ２）。また、原稿情報ＤＢ２８に予め格納された原稿情報１０２をドラック＆ドロップでキャンパス１１０に貼り付け、同時に原稿情報１０２の所在地（アドレス）が記録される（ステップＳ３）。次に、キャンパス１１０の透明シート１１１上にメモを入力する（ステップＳ４）。入力されたメモに関するメモ情報と共にキャンパス１１０の各原稿の所在地がメモ情報ＤＢ２７に格納される。
【００３８】
このように、原稿情報とは別に、原稿情報の所在地をメモ情報と共に管理することにより、原稿情報及びメモ情報を有効に活用することができる。
【００３９】
次に、表示制御サーバ２０を介して利用者側端末３０で入力されるメモに関するメモ情報を管理する表示制御処理の手順について説明する。図４〜６は、表示制御サーバを介して実行される表示制御処理におけるフローチャートを示す図である。先ず、図４に示すステップＳ１０の処理で、利用者側端末３０の通信制御手段２５は、表示制御サーバ２０からのイベント発生を待機する。ステップＳ１１の処理で、通信制御手段２５は、入力イベントが発生し、その入力情報が表示制御サーバ２０からの通知情報であるか否かを判断する。ステップＳ１１の処理で、表示制御サーバ２０からの通知情報でないと判断した場合、ステップＳ１２の処理で、通信制御手段２５は、入力情報がリアルタイムで通信を行うための接続要求であるか否かを判断する。ステップＳ１２の処理で入力情報が接続要求であると判断された場合、ステップＳ１３の処理で、通信制御手段２５は、表示制御サーバ２０との接続を行い、ステップＳ１０の処理へ戻る。ステップＳ１２の処理で入力情報が接続要求でないと判断された場合、ステップＳ１４の処理で、通信制御手段２５は、入力情報が表示制御サーバ２０との接続を切断する要求であるか否かを判断する。ステップＳ１４の処理で入力情報が切断要求であると判断された場合、ステップＳ１５の処理で、通信制御手段２５は、表示制御サーバ２０との接続を切断し、ステップＳ１０の処理へ戻る。
【００４０】
また、ステップＳ１４の処理で入力情報が切断要求でないと判断された場合、ステップＳ１６の処理で、メモ情報管理手段２３はメモの入力があるか否かを判断する。ステップＳ１６の処理でメモの入力がある場合、ステップＳ１７の処理で、メモ情報管理手段２３は、メモをメモ情報ＤＢ２７に格納すると共に、通信制御手段２５は、表示制御サーバ２０へメモ情報を通知する。次に、ステップＳ１８の処理で、メモ情報管理手段２３は、透明シートにメモを表示させ、ステップＳ１０の処理へ戻る。ステップＳ１６の処理でメモの入力がない場合、ステップＳ１９の処理で、メモ情報管理手段２３は、入力情報が退避要求であるか否かを判断する。ステップＳ１９の処理で入力情報が退避要求であると判断された場合、ステップＳ２０の処理で、通信制御手段２５は、表示制御サーバ２０へ退避要求を通知し、ステップＳ１０の処理へ戻る。ステップＳ１９の処理で入力情報が退避要求でないと判断された場合、ステップＳ２１の処理で、メモ情報管理手段２３は、メモ情報ＤＢ２７に格納されたメモが検索されたか否かを判断する。ステップＳ２１の処理でメモが検索された場合、ステップＳ２２の処理で、メモ情報管理手段２３は、検索条件に一致するメモを抽出し、そのメモを強調表示させ、ステップＳ１０の処理へ戻る。
【００４１】
ステップＳ２１の処理でメモが検索されなかった場合、図５に示すステップＳ２３の処理で、ページャ制御手段３１は、画面がスクロールされたか否かを判断する。ステップＳ２３の処理で画面がスクロールされた場合、ステップＳ２４の処理で、通信制御手段２５は、表示制御サーバ２０へスクロール情報を通知する。ステップＳ２５の処理で、ページャ制御手段３１は、画面に表示された原稿とメモとをスクロールし、ステップＳ１０の処理へ戻る。ステップＳ２３の処理で画面がスクロールされなかった場合、ステップＳ２６の処理で、メモ情報管理手段２３は、メモが削除されたか否かを判断する。ステップＳ２６の処理でメモが削除された場合、ステップＳ２７の処理で通信制御手段２５は、表示制御サーバ２０へメモの削除（全メモ又は最新メモ）を要求する。ステップＳ２８の処理で、メモ情報管理手段２３は、メモを削除した画面を再表示し、ステップＳ１０の処理へ戻る。
【００４２】
ステップＳ２６の処理でメモが削除されない場合、ステップＳ２９の処理で、ページャ制御手段３１は、原稿が新たに設定されたか否かを判断する。ステップＳ２９の処理で原稿が新たに設定された場合、ステップＳ３０の処理で、通信制御手段２５は、表示制御サーバ２０へ原稿情報の所在地であるアドレスを通知し、ステップＳ１０の処理へ戻る。ステップＳ２９の処理で原稿が新たに設定されない場合、ステップＳ３１の処理で、メモ表示制御手段３２は、表示メモレベルが設定されているか否かを判断する。ステップＳ３１の処理で、表示メモレベルが設定されている場合、ステップＳ３２の処理で、メモ情報管理手段２３は、メモレベルに従ってメモを再表示させ、ステップＳ１０の処理へ戻る。ステップＳ３１の処理で、表示メモレベルが設定されていない場合、ステップＳ３３の処理で、メモ表示制御手段３２は、新たにメモレベルが設定されたか否かを判断する。ステップＳ３３の処理で、新たにメモレベルが設定された場合、ステップＳ３４の処理で、メモ表示制御手段３２は、設定されたメモレベルをメモ情報ＤＢ２７に格納し、ステップＳ１０の処理へ戻る。
【００４３】
ステップＳ３３の処理で、新たにメモレベルが設定されていない場合、ステップＳ３５の処理で、メモ表示制御手段３２は、メモの種類が設定されたか否かを判断する。ステップＳ３５の処理でメモの種類が設定された場合、ステップＳ３６の処理で、メモ表示制御手段３２は、設定されたメモの種類がグラフィックであるか否かを判断する。ステップＳ３６の処理で、設定されたメモの種類がグラフィックである場合、ステップＳ３７の処理で、メモ表示制御手段３２は、設定されたメモの種類（グラフィック）をメモ情報ＤＢ２７に格納し、ステップＳ１０の処理へ戻る。ステップＳ３６の処理で、設定されたメモの種類がグラフィックでない場合、ステップＳ３７の処理で、メモ表示制御手段３２は、設定されたメモの種類（文字）をメモ情報ＤＢ２７に格納し、ステップＳ１０の処理へ戻る。
【００４４】
ステップＳ３５の処理でメモの種類が設定されていない場合、図６に示すステップＳ３９の処理で、メモ表示制御手段３２は、入力するメモのカラーが設定されているか否かを判断する。ステップＳ３９の処理で、入力するメモのカラーが設定されている場合、ステップＳ４０の処理で、メモ表示制御手段３２は、設定されたカラーの種類（ＲＧＢ）をメモ情報ＤＢ２７に格納し、ステップＳ１０の処理へ戻る。ステップＳ３９の処理で、入力するメモのカラーが設定されていない場合、ステップＳ４１の処理で、メモ表示制御手段３２は、フォントが設定されているか否かを判断する。ステップＳ４１の処理で、フォントが設定されていない場合、ステップＳ１０の処理へ戻る。ステップＳ４１の処理で、フォントが設定されている場合、ステップＳ４２の処理で、メモ表示制御手段３２は、要求者のメモの種類が文字であるか否かを判断する。ステップＳ４２の処理で、要求者のメモの種類が文字である場合、ステップＳ４３の処理で、メモ表示制御手段３２は、文字フォントをメモ情報ＤＢ２７に格納し、ステップＳ１０の処理へ戻る。ステップＳ４２の処理で、要求者のメモの種類が文字でない場合、ステップＳ４４の処理で、メモ表示制御手段３２は、ペンの太さをメモ情報ＤＢ２７に格納し、ステップＳ１０の処理へ戻る。
【００４５】
また、図４に示すステップＳ１１の処理で、表示制御サーバ２０から入力情報が通知要求でないと判断された場合、ステップＳ４５の処理で、通信制御手段２５は、表示制御サーバ２０からメモの通知があるか否かを判断する。ステップＳ４５の処理で、表示制御サーバ２０からメモの通知があると判断した場合、ステップＳ４６の処理で、メモ情報管理手段２３は、メモ情報ＤＢ２７にメモを記録すると共に、透明シートに表示原稿が通知されたときに原稿を表示し、ステップＳ１０の処理へ戻る。ステップＳ４５の処理で、表示制御サーバ２０からメモの通知がないと判断した場合、ステップＳ４７の処理で、通信制御手段２５は、表示制御サーバ２０からメモ削除の通知があるか否かを判断する。ステップＳ４７の処理で、表示制御サーバ２０からメモ削除の通知があると判断した場合、ステップＳ４８の処理で、メモ情報管理手段２３は、表示されたメモを削除すると共に、メモを削除した画面を再表示し、ステップＳ１０の処理へ戻る。
【００４６】
このように、利用者側端末３０で原稿情報の所在地や入力されるメモに関するメモ情報を管理し、メモレベルに応じてメモを表示させ、また、表示制御サーバ２０の制御により複数の利用者側端末３０で原稿情報及びメモを同期させて画面に表示させることができる。
【００４７】
次に、表示制御サーバ２０でメモ情報を管理する表示制御処理の手順について説明する。図７、８は、表示制御サーバで実行される表示制御処理におけるフローチャートを示す図である。先ず、図７に示すステップＳ５０の処理で、表示制御サーバ２０の通信制御手段２５は、利用者側端末３０からのイベント発生を待機する。ステップＳ５１の処理で、通信制御手段２５は、入力情報がリアルタイムで通信を行うための接続要求であるか否かを判断する。ステップＳ５１の処理で入力情報が接続要求であると判断された場合、ステップＳ５２の処理で、通信制御手段２５は、所定の利用者側端末３０と接続を行い、定義情報管理手段３３は、利用者定義ＤＢ２６に要求者に関する定義情報を格納すると共に、要求者へ原稿情報及びメモ情報を通知し、ステップＳ５０の処理へ戻る。ステップＳ５１の処理で入力情報が接続要求でないと判断された場合、ステップＳ５３の処理で、通信制御手段２５は、入力情報が利用者側端末３０との接続を切断する要求であるか否かを判断する。ステップＳ５３の処理で入力情報が切断要求であると判断された場合、ステップＳ５４の処理で、通信制御手段２５は利用者側端末３０との接続を切断し、定義情報管理手段３３は、利用者定義ＤＢ２６に格納された要求者に関する情報を削除し、ステップＳ５０の処理へ戻る。ステップＳ５３の処理で入力情報が切断要求でないと判断された場合、ステップＳ５５の処理で、メモ情報管理手段２３は、要求者からメモが要求されたか否かが判断される。ステップＳ５５の処理で、要求者からメモが要求された場合、ステップＳ５６の処理で、メモ情報管理手段２３は、メモ情報ＤＢ２７にメモを格納すると共に、通信制御手段２５は、メモ要求者以外の全利用者にメモを通知し、ステップＳ５０の処理へ戻る。
【００４８】
ステップＳ５５の処理で、要求者からメモが要求されない場合、ステップＳ５７の処理で、メモ情報管理手段２３は、入力情報が利用者側端末３０からの退避要求であるか否かを判断する。ステップＳ５７の処理で、利用者側端末３０から入力情報が退避要求であると判断された場合、ステップＳ５８の処理で、メモ情報管理手段２３は、退避要求が原稿設定者であるか否かを判断する。ステップＳ５８の処理で退避要求が原稿設定者でない場合、ステップＳ５０の処理へ戻る。ステップＳ５８の処理で退避要求が原稿設定者である場合、ステップＳ５９の処理で、暗号化手段２２は、原稿情報とメモとを暗号化し、メモ情報管理手段２３は、原稿情報ＤＢ２８及びメモ情報ＤＢ２７に暗号化されたデータを格納し、ステップＳ５０の処理へ戻る。ステップＳ５７の処理で、入力情報が利用者側端末３０から退避要求でないと判断された場合、ステップＳ６０の処理で、メモ情報管理手段２３は、入力情報が利用者側端末３０からの原稿設定要求であるか否かを判断する。ステップＳ６０の処理で、利用者側端末３０から入力情報が原稿設定要求であると判断された場合、ステップＳ６１の処理で、メモ情報管理手段２３は、原稿設定が可能であるか否かを判断する。ステップＳ６１の処理で、原稿設定が可能でない場合、ステップＳ５０の処理へ戻る。ステップＳ６１の処理で、原稿設定が可能である場合、ステップＳ６２の処理で、暗号化手段２２は、原稿の所在地を示すアドレスと設定者をメモ情報ＤＢ２７に格納し、原稿設定不可能状態に設定し、ステップＳ５０の処理へ戻る。
【００４９】
また、ステップＳ６０の処理で、入力情報が利用者側端末３０からの原稿設定要求でないと判断された場合、図８に示すステップＳ６３の処理で、通信制御手段２５は、入力情報が利用者側端末３０からの画面のスクロール要求であるか否かを判断する。ステップＳ６３の処理で、入力情報が画面のスクロール要求であると判断された場合、ステップＳ６４の処理で、通信制御手段２５は、要求者以外の全利用者へスクロール情報を通知し、ステップＳ５０の処理へ戻る。ステップＳ６３の処理で、入力情報が画面のスクロール要求でないと判断された場合、ステップＳ６５の処理で、メモ情報管理手段２３は、入力情報が利用者側端末３０からのメモ削除要求であるか否かを判断する。ステップＳ６５の処理で、入力情報がメモ削除要求であると判断された場合、ステップＳ６６の処理で、メモ情報管理手段２３は、入力情報が利用者側端末３０から全てのメモ削除が要求されたか否かを判断する。ステップＳ６６の処理で、入力情報が全てのメモ削除要求と判断された場合、ステップＳ６７の処理で、メモ情報管理手段２３は、要求者のメモを削除（全メモ又は最新メモ）し、通信制御手段２５は、削除要求者以外の全利用者にメモ削除結果を通知し、ステップＳ５０の処理へ戻る。また、ステップＳ６５の処理で、入力情報がメモ削除要求でないと判断された場合、及び、ステップＳ６６の処理で、全てのメモ削除要求でないと判断された場合、ステップＳ５０の処理へ戻る。
【００５０】
このように、表示制御サーバ２０は、利用者側端末３０からの要求に応じて、利用者を定義した定義情報、原稿情報及びメモ情報を管理し、利用者側端末３０で表示される原稿情報及びメモを制御することができると共に、管理結果を複数の利用者側端末３０に通知することができる。
【００５１】
次に、複数の利用者側端末３０間でメモ情報を管理する表示制御処理の手順について説明する。図９〜図１２は、利用者側端末のみで実行される表示制御処理におけるフローチャートを示す図である。先ず、図９に示すステップＳ７０の処理で、利用者側端末３０の通信制御手段２５は、他の利用者側端末３０からのイベント発生を待機する。ステップＳ７１の処理で、通信制御手段２５は、他の利用者側端末３０から情報の通知があるか否かを判断する。ステップＳ７１の処理で、他の利用者側端末３０から通知がないと判断した場合、ステップＳ７２の処理で、通信制御手段２５は、入力情報が他の利用者側端末３０からリアルタイムで通信を行うための接続要求であるか否かを判断する。ステップＳ７２の処理で入力情報が接続要求であると判断された場合、ステップＳ７３の処理で、通信制御手段２５は、他の利用者側端末３０との接続を行い、ステップＳ７０の処理へ戻る。ステップＳ７２の処理で入力情報が接続要求でないと判断された場合、ステップＳ７４の処理で、通信制御手段２５は、入力情報が他の利用者側端末３０との接続の切断要求であるか否かを判断する。ステップＳ７４の処理で入力情報が切断要求であると判断された場合、ステップＳ７５の処理で、通信制御手段２５は、他の利用者側端末３０との接続を切断し、ステップＳ７０の処理へ戻る。
【００５２】
また、ステップＳ７４の処理で入力情報が切断要求でないと判断された場合、ステップＳ７６の処理で、メモ情報管理手段２３はメモの入力があるか否かを判断する。ステップＳ７６の処理でメモの入力がある場合、ステップＳ７７の処理で、メモ情報管理手段２３は、メモをメモ情報ＤＢ２７に格納すると共に、通信制御手段２５は、他の利用者側端末３０へメモ情報を通知する。次に、ステップＳ７８の処理で、メモ情報管理手段２３は、透明シートにメモを表示させ、ステップＳ７０の処理へ戻る。ステップＳ７６の処理でメモの入力がない場合、ステップＳ７９の処理で、メモ情報管理手段２３は、入力情報が退避要求であるか否かを判断する。ステップＳ７９の処理で入力情報が退避要求であると判断された場合、ステップＳ８０の処理で、通信制御手段２５は、他の利用者側端末３０へ退避要求を通知する。ステップＳ８１の処理で、暗号化手段２２は、原稿情報とメモとを暗号化し、キャンパス情報管理手段３４は、原稿情報ＤＢ２８に暗号化されたデータを格納し、ステップＳ７０の処理へ戻る。ステップＳ７９の処理で退避要求がないと判断された場合、ステップＳ８２の処理で、メモ情報管理手段２３は、メモ情報ＤＢ２７に格納されたメモが検索されたか否かを判断する。ステップＳ８２の処理でメモが検索された場合、ステップＳ８３の処理で、メモ情報管理手段２３は、検索条件に一致するメモを抽出し、そのメモを強調表示させ、ステップＳ７０の処理へ戻る。
【００５３】
ステップＳ８２の処理でメモが検索されなかった場合、図１０に示すステップＳ８４の処理で、ページャ制御手段３１は、画面がスクロールされたか否かを判断する。ステップＳ８４の処理で画面がスクロールされた場合、ステップＳ８４の処理で、通信制御手段２５は、他の利用者側端末３０へスクロール情報を通知する。ステップＳ８６の処理で、ページャ制御手段３１は、画面に表示された原稿とメモとをスクロールし、ステップＳ７０の処理へ戻る。ステップＳ８４の処理で画面がスクロールされなかった場合、ステップＳ８７の処理で、メモ情報管理手段２３は、メモが削除されたか否かを判断する。ステップＳ８７の処理でメモが削除された場合、ステップＳ８８の処理で、通信制御手段２５は、他の利用者側端末３０へメモの削除（全メモ又は最新メモ）を要求する。ステップＳ８９の処理で、メモ情報管理手段２３は、メモを削除した画面を再表示し、ステップＳ７０の処理へ戻る。
【００５４】
ステップＳ８７の処理でメモが削除されなかった場合、ステップＳ９０の処理で、ページャ制御手段３１は、原稿が新たに設定されたか否かを判断する。ステップＳ９０の処理で原稿が新たに設定された場合、ステップＳ９１の処理で、通信制御手段２５は、他の利用者側端末３０へ原稿情報の所在地であるアドレスを通知し、ステップＳ７０の処理へ戻る。ステップＳ９０の処理で原稿が新たに設定されない場合、ステップＳ９２の処理で、メモ表示制御手段３２は、表示メモレベルが設定されているか否かを判断する。ステップＳ９２の処理で、表示メモレベルが設定されている場合、ステップＳ９３の処理で、メモ情報管理手段２３は、メモレベルに従ってメモを再表示させ、ステップＳ７０の処理へ戻る。ステップＳ９２の処理で、表示メモレベルが設定されていない場合、ステップＳ９４の処理で、メモ表示制御手段３２は、新たにメモレベルが設定されたか否かを判断する。ステップＳ９４の処理で、新たにメモレベルが設定された場合、ステップＳ９５の処理で、メモ表示制御手段３２は、設定されたメモレベルをメモ情報ＤＢ２７に格納し、ステップＳ７０の処理へ戻る。
【００５５】
ステップＳ９４の処理で、新たにメモレベルが設定されていない場合、ステップＳ９６の処理で、メモ表示制御手段３２は、メモの種類が設定されたか否かを判断する。ステップＳ９６の処理でメモの種類が設定された場合、ステップＳ９７の処理で、メモ表示制御手段３２は、設定されたメモの種類がグラフィックであるか否かを判断する。ステップＳ９７の処理で、設定されたメモの種類がグラフィックである場合、ステップＳ９８の処理で、メモ表示制御手段３２は、設定されたメモの種類（グラフィック）をメモ情報ＤＢ２７に格納し、ステップＳ７０の処理へ戻る。ステップＳ９７の処理で、設定されたメモの種類がグラフィックでない場合、ステップＳ９９の処理で、メモ表示制御手段３２は、設定されたメモの種類（文字）をメモ情報ＤＢ２７に格納し、ステップＳ７０の処理へ戻る。
【００５６】
ステップＳ９６の処理でメモの種類が設定されていない場合、図１１に示すステップＳ１００の処理で、メモ表示制御手段３２は、入力するメモのカラーが設定されているか否かを判断する。ステップＳ１００の処理で、入力するメモのカラーが設定されている場合、ステップＳ１０１の処理で、メモ表示制御手段３２は、設定されたカラーの種類（ＲＧＢ）をメモ情報ＤＢ２７に格納し、ステップＳ７０の処理へ戻る。ステップＳ１００の処理で、入力するメモのカラーが設定されていない場合、ステップＳ１０２の処理で、メモ表示制御手段３２は、フォントが設定されているか否かを判断する。ステップＳ１０２の処理で、フォントが設定されていない場合、ステップＳ７０の処理へ戻る。ステップＳ１０２の処理で、フォントが設定されている場合、ステップＳ１０３の処理で、メモ表示制御手段３２は、要求者のメモの種類が文字であるか否かを判断する。ステップＳ１０３の処理で、要求者のメモの種類が文字である場合、ステップＳ１０４の処理で、メモ表示制御手段３２は、文字フォントをメモ情報ＤＢ２７に格納し、ステップＳ７０の処理へ戻る。ステップＳ１０３の処理で、要求者のメモの種類が文字でない場合、ステップＳ１０５の処理で、メモ表示制御手段３２は、ペンの太さをメモ情報ＤＢ２７に格納し、ステップＳ７０の処理へ戻る。
【００５７】
また、図９に示すステップＳ７１の処理で、他の利用者側端末３０から通知がないと判断された場合、図１２に示すステップＳ１０６の処理で、通信制御手段２５は、他の利用者側端末３０からの入力情報がリアルタイムで通信を行うための接続要求であるか否かを判断する。ステップＳ１０６の処理で入力情報が接続要求であると判断された場合、ステップＳ１０７の処理で、通信制御手段２５は、他の利用者側端末３０との接続を行い、ステップＳ７０の処理へ戻る。ステップＳ１０６の処理で入力情報が接続要求でないと判断された場合、ステップＳ１０８の処理で、通信制御手段２５は、他の利用者側端末３０からの入力情報がメモの通知要求であるか否かを判断する。
【００５８】
ステップＳ１０８の処理で入力情報がメモの通知要求であると判断した場合、ステップＳ１０９の処理で、メモ情報管理手段２３は、メモ情報ＤＢ２７にメモを記録すると共に、透明シートに表示原稿が通知されたときに原稿を表示し、ステップＳ７０の処理へ戻る。ステップＳ１０８の処理で入力情報がメモの通知要求でないと判断した場合、ステップＳ１１０の処理で、通信制御手段２５は、他の利用者側端末３０からの入力情報がメモ削除の通知要求であるか否かを判断する。ステップＳ１１０の処理で入力情報がメモ削除の通知要求であると判断した場合、ステップＳ１１１の処理で、メモ情報管理手段２３は、表示されたメモを削除すると共に、メモを削除した画面を再表示し、ステップＳ７０の処理へ戻る。
【００５９】
ステップＳ１１０の処理で入力情報がメモ削除の通知要求でないと判断した場合、ステップＳ１１２の処理で、通信制御手段２５は、入力情報が他の利用者側端末３０との接続の切断要求であるか否かを判断する。ステップＳ１１２の処理で入力情報が切断要求であると判断された場合、ステップＳ１１３の処理で、通信制御手段２５は、他の利用者側端末３０との接続を切断し、ステップＳ７０の処理へ戻る。ステップＳ１１２の処理で入力情報が切断要求でないと判断された場合、ステップＳ１１４の処理で、メモ情報管理手段２３は、入力情報が退避要求であるか否かを判断する。ステップＳ１１４の処理で入力情報が退避要求であると判断された場合、ステップＳ１１５の処理で、暗号化手段２２は、原稿情報とメモとを暗号化し、キャンパス情報管理手段３４は、原稿情報ＤＢ２８に暗号化されたデータを格納し、ステップＳ７０の処理へ戻る。ステップＳ１１４の処理で入力情報が退避要求でないと判断された場合、ステップＳ７０の処理へ戻る。
【００６０】
このように、各利用者側端末３０で原稿情報及びメモ情報を管理し、メモレベルに応じてメモを表示させ、また、複数の利用者側端末３０間で原稿情報及びメモを同期させて画面に表示させることができる。
【００６１】
次に、メモ情報ＤＢ２７に格納されるメモレベルテーブルについて説明する。図１３は、メモ情報ＤＢに格納されるメモレベルテーブルを示す図である。図１３において、メモレベルテーブル２７０は、利用者等により入力されたメモに対して設定されたメモレベルを示している。メモレベルテーブル２７０には、メモを入力した利用者を識別する利用者ＩＤを示す項目と、その利用者が入力したメモを示す項目と、そのメモに対するメモレベルを示す項目とが格納されている。ここでは、メモレベルが「０」の場合、全ての利用者が参照可能なメモであることを示し、メモレベルが「１」の場合、所定の利用者又は所定のグループの利用者のみが参照可能なメモであることを示し、メモレベルが「２」の場合、メモを入力した利用者のみが参照可能なメモであることを示している。例えば、利用者ＩＤ「Ｕ１」に対してメモ「ＡＡＡ」、メモレベル「０」が格納されている。メモレベル「０」が格納されているため、利用者ＩＤ「Ｕ１」のメモ「ＡＡＡ」は全ての利用者により参照が可能となる。
【００６２】
次に、利用者定義ＤＢ２６に格納される定義テーブルについて説明する。図１４は、利用者定義ＤＢに格納される定義テーブルを示す図である。図１４において、定義テーブル２６０は、利用者等により入力されたメモに対して設定されたメモレベルを示している。定義テーブル２６０には、メモを入力した利用者名を示す項目と、利用者を識別する利用者ＩＤを示す項目と、参照可能な利用者を区分したグループＩＤを示す項目とが格納されている。例えば、メモを参照する利用者のクループＩＤが、メモを入力した利用者のグループＩＤと同じで、そのメモのメモレベル「１」以下である場合、メモを参照する利用者はそのメモが参照可能となる。例えば、定義テーブル２６０には、利用者名「利用者Ａ」、利用者ＩＤ「Ｕ１」、グループＩＤ「Ｇ１」が格納されている。従って、この定義テーブル２６０により、利用者Ａが他の利用者のメモを参照する場合、そのメモを入力した利用者がグループＩＤ「Ｇ１」で、メモのメモレベル「１」が以下であればそのメモを参照することができる。
【００６３】
次に、メモ作成者とメモ参照者との関係について説明する。図１５は、メモ作成者とメモ参照者との関係について説明するための図である。図１５に示す表２７７は、図１３に示すメモレベルテーブル２７０及び図１４に示す定義テーブル２６０に基づいたメモ作成者とメモ参照者との関係を示している。表２７７において、メモ参照者が参照可能な場合は「◎」で表し、メモ参照者が参照不可能な場合は「×」で表している。例えば、表２７７において、メモ作成者である利用者Ａのメモを、利用者Ａ本人が参照する場合、全てのメモを参照することができる。メモ作成者であるグループＩＤ「Ｇ１」の利用者Ａのメモを、グループＩＤ「Ｇ１」の利用者Ｂが参照する場合、利用者Ｂは利用者Ａと同じグループに属するため、メモレベルが「１」以下のメモを参照することができる。また、メモ作成者であるグループＩＤ「Ｇ１」の利用者Ａのメモを、グループＩＤ「Ｇ３」の利用者Ｃが参照する場合、利用者Ｃは利用者Ａと異なるグループに属するため、メモレベルが「０」のメモのみを参照することができる。
【００６４】
次に、表示制御処理でのメモ情報の出力処理について説明する。図１６は、メモ情報の出力処理について説明するための図である。図１６において、表示制御サーバ２０は、利用者定義ＤＢ２６に格納された定義情報に基づいて所定の利用者側端末３０に原稿情報ＤＢ２８に格納された原稿情報２８０及びメモ情報ＤＢ２７に格納されたメモ情報２７５のうち所定のメモを提供する。利用者側端末３０では、図１３に示すメモレベルテーブル２７０及び図１４に示す定義テーブル２６０に基づいて、出力するメモ情報を制御する。ここで、原稿情報２８０は原稿情報「あいうえお」とし、メモ情報２７５はメモ「ＡＡＡ」、「ＢＢＢ」、「ＣＣＣ」を対象とする。例えば、利用者Ａは定義テーブル２６０により全てのメモレベルの参照が可能であるため、利用者Ａの利用者側端末３０のキャンパス２００には、キャンパス情報として原稿情報「あいうえお」とメモ「ＡＡＡ」、「ＢＢＢ」、「ＣＣＣ」が表示される。尚、キャンパス情報は、キャンパスを構成する情報のことであり、ここでは、キャンパス情報としてＵＲＬは使わず、原稿情報、或ははメモ情報だけで説明しているが、ＵＲＬ情報、画像情報が含まれるケースも当然に想定される。
【００６５】
また、利用者Ｃは定義テーブル２６０によりメモレベル「０」に設定されたメモ「ＡＡＡ」と、自分の入力したメモが参照可能であるため、利用者Ｃの利用者側端末３０のキャンパス２０１には、原稿情報「あいうえお」とメモ「ＡＡＡ」、「ＣＣＣ」が表示される。
【００６６】
ここで、利用者Ａの利用者側端末３０で、所定の設定手段によりメモを「ｏｎ」に設定された場合、原稿情報「あいうえお」とメモ「ＡＡＡ」、「ＢＢＢ」、「ＣＣＣ」とが出力結果２０５としてディスプレイ等により出力される。また、利用者Ａの利用者側端末３０で、所定の設定手段によりメモを「ｏｎ」に設定し、メモレベルを「２」以上に設定された場合、原稿情報「あいうえお」と、メモレベルが「２」以上に設定されているメモ「ＣＣＣ」とが出力結果２０６としてディスプレイ等により出力される。利用者Ａの利用者側端末３０で、所定の設定手段によりメモを「ｏｎ」に設定し、メモレベルを「１」以上に設定された場合、原稿情報「あいうえお」と、メモレベルが「１」以上に設定されているメモ「ＢＢＢ」、「ＣＣＣ」とが出力結果２０７としてディスプレイ等により出力される。利用者Ａの利用者側端末３０で、所定の設定手段によりメモを「ｏｎ」に設定し、メモレベルを「０」に設定された場合、原稿情報「あいうえお」と、メモレベルが「０」以上に設定されているメモ「ＡＡＡ」とが出力結果２０８としてディスプレイ等により出力される。また、利用者Ａの利用者側端末３０で、所定の設定手段によりメモを「ｏｆｆ」に設定された場合、原稿情報「あいうえお」のみが出力結果２０９としてディスプレイ等により出力される。
【００６７】
一方、利用者Ｃの利用者側端末３０で、所定の設定手段によりメモを「ｏｎ」、又はメモを「ｏｎ」に設定し、メモレベルを「２」以上に設定された場合、原稿情報「あいうえお」とメモ「ＣＣＣ」とが出力結果２０６としてディスプレイ等により出力される。また、利用者Ｃの利用者側端末３０で、所定の設定手段によりメモを「ｏｆｆ」、又はメモを「ｏｎ」、メモレベルを「１」に設定された場合、原稿情報「あいうえお」のみが出力結果２０９としてディスプレイ等により出力される。
【００６８】
このように、利用者側端末３０で、所定の設定手段によりメモ出力のｏｎ／ｏｆｆを設定し、またメモレベルを設定して出力処理を行うことにより、設定に応じた出力結果を得ることができる。
【００６９】
次に、メモ情報ＤＢ２７に格納されるタイムスタンプテーブルについて説明する。図１７は、メモ情報ＤＢに格納されるタイムスタンプテーブルを示す図である。図１７において、タイムスタンプテーブル２７２には、利用者等によりメモが入力された日時に関する履歴情報であるタイムスタンプが格納されている。タイムスタンプテーブル２７２には、利用者が入力したメモを示す項目と、メモを入力した利用者名を示す項目と、メモを入力した日時であるタイムスタンプを示す項目とが格納されている。例えば、タイムスタンプテーブル２７２には、メモ「ＡＡＡ」に対して、利用者名「利用者Ａ」、タイムスタンプ「２００３／０２／０１／１２：００：００」が格納されている。メモ「ＡＡＡ」は利用者Ａにより入力され、２００３年２月１日１２：００：００に入力されたことを示している。
【００７０】
次に、表示制御処理でのメモ情報の検索処理について説明する。図１８は、メモ情報の検索処理について説明するための図である。図１８において、表示制御サーバ２０は、利用者定義ＤＢ２６に格納された定義情報に基づいて所定の利用者側端末３０に原稿情報ＤＢ２８に格納された原稿情報２８０及びメモ情報ＤＢ２７に格納されたメモ情報２７６のうち所定のメモを提供する。利用者側端末３０では、図１７に示すタイムスタンプテーブル２７２に基づいて、所定のメモを検索し、検索結果が画面に表示される。ここで、原稿情報２８０は原稿情報「あいうえお」とし、メモ情報２７６はメモ「ＡＡＡ」、「ＢＢＢ」、「ＣＣＣ」、「ＤＤＤ」を対象とする。例えば、利用者Ａは定義テーブル２６０により全てのメモレベルの参照が可能であるため、利用者Ａの利用者側端末３０のキャンパス２１０には、原稿情報「あいうえお」とメモ「ＡＡＡ」、「ＢＢＢ」、「ＣＣＣ」、「ＤＤＤ」が表示される。
【００７１】
ここで、利用者Ａの利用者側端末３０で、所定の設定手段により作成日時での検索処理が実行された場合、検索結果２１１〜２１３が画面に表示される。例えば、日時「２００３／０２／０１／１２：０１」以降に入力されたメモを検索した場合、原稿情報「あいうえお」とメモ「ＢＢＢ」、「ＣＣＣ」、「ＤＤＤ」とが検索結果２１１として画面に表示される。また、日時「２００３／０２／０１／１３：００」迄に入力されたメモを検索した場合、原稿情報「あいうえお」とメモ「ＡＡＡ」、「ＢＢＢ」とが検索結果２１２として画面に表示される。また、日時「２００３／０２／０１／１２：０５」から日時「２００３／０２／０１／１２：１５」迄に入力されたメモを検索した場合、原稿情報「あいうえお」とメモ「ＢＢＢ」とが検索結果２１３として画面に表示される。
【００７２】
一方、利用者Ａの利用者側端末３０で、所定の設定手段によりメモ作成者での検索処理が実行された場合、検索結果２１４が画面に出力される。例えば、利用者名「利用者Ａ」により入力されたメモを検索した場合、原稿情報「あいうえお」とメモ「ＡＡＡ」、「ＤＤＤ」とが検索結果２１４として画面に表示される。
【００７３】
このように、利用者側端末３０で、所定の設定手段により作成日時又はメモ作成者での検索処理を行うことにより、所定の条件に基づいて検索されたメモを画面に表示させることができる。尚、検索処理において、例えば、会議開始時刻から終了時刻までに入力された複数のメモを時系列で検索し、画面に表示させるようにしてもよい。
【００７４】
次に、表示制御処理でのメモ情報の作成者表示処理について説明する。図１９は、メモ情報の作成者表示処理について説明するための図である。図１９において、表示制御サーバ２０は、利用者定義ＤＢ２６に格納された定義情報に基づいて所定の利用者側端末３０に原稿情報ＤＢ２８に格納された原稿情報２８０及びメモ情報ＤＢ２７に格納されたメモ情報２７６のうち所定のメモを提供する。利用者側端末３０では、図１７に示すタイムスタンプテーブル２７２に基づいて、選択されたメモの作成者を表示する。ここで、原稿情報２８０は原稿情報「あいうえお」とし、メモ情報２７６はメモ「ＡＡＡ」、「ＢＢＢ」、「ＣＣＣ」、「ＤＤＤ」を対象とする。例えば、利用者Ａは定義テーブル２６０により全てのメモレベルの参照が可能であるため、利用者Ａの利用者側端末３０のキャンパス２１５には、原稿情報「あいうえお」とメモ「ＡＡＡ」、「ＢＢＢ」、「ＣＣＣ」、「ＤＤＤ」が表示される。
【００７５】
ここで、利用者Ａの利用者側端末３０で、所定のメモを選択し、所定の設定手段により作成者表示処理が実行された場合、表示結果２１６、２１８、２２０が画面に表示される。例えば、メモ「ＡＡＡ」又はメモ「ＤＤＤ」を選択し、作成者表示処理が実行された場合、キャンパス２１５上で選択されたメモ「ＡＡＡ」又はメモ「ＤＤＤ」が、他のメモと識別可能な表示形式（斜字体など）で表示されると共に、選択されたメモを入力した利用者名「利用者Ａ」を示す表示域２１７を有する表示結果２１６として画面に表示される。また、メモ「ＢＢＢ」を選択し、作成者表示処理が実行された場合、キャンパス２１５上で選択されたメモ「ＢＢＢ」が、他のメモと識別可能な表示形式で表示されると共に、選択されたメモを入力した利用者名「利用者Ｂ」を示す表示域２１９を有する表示結果２１８として画面に表示される。また、メモ「ＣＣＣ」を選択し、作成者表示処理が実行された場合、キャンパス２１５上で選択されたメモ「ＣＣＣ」が、他のメモと識別可能な表示形式で表示されると共に、選択されたメモを入力した利用者名「利用者Ｃ」を示す表示域２２１を有する表示結果２２０として画面に表示される。
【００７６】
このように、利用者側端末３０で、所定のメモを選択して作成者表示処理を行うことにより、選択したメモを他のメモと識別可能な表示形式で強調させて表示させ、選択したメモを作成した利用者を画面で表示させることができる。
【００７７】
次に、表示制御処理でのメモ情報の同期表示処理について説明する。図２０は、メモ情報の同期表示処理について説明するための図である。図２０において、表示制御サーバ２０は、複数の利用者側端末３０のキャンパス上に表示された原稿情報の切り替えやメモの入力を同期させて表示する制御を行う。先ず、表示制御サーバ２０は、利用者側端末３０の要求に応じて原稿情報ＤＢ２８に格納された原稿情報２８１、２８２を利用者Ａ、Ｂの利用者側端末３０に提供する（ステップＳ１）。ここで、原稿情報２８１は原稿情報「あいうえお」とし、原稿情報２８２は原稿情報「かきくけこ」とする。利用者Ａの利用者側端末３０で、原稿情報２８１上の透明シートにメモ「ＡＡＡ」が入力されると、原稿情報「あいうえお」とメモ「ＡＡＡ」とがキャンパス２２５に表示される。そのメモ「ＡＡＡ」が利用者Ｂの利用者側端末３０に提供され、キャンパス２２６に反映させる（ステップＳ２）。
【００７８】
次に、利用者Ａの利用者側端末３０で、原稿情報２８２に切り替えられ、メモ「ＣＣＣ」が入力されると、原稿情報「かきくけこ」とメモ「ＣＣＣ」とがキャンパス２２７に表示される（ステップＳ３）。キャンパス２２７に表示された原稿情報２８２とメモ「ＣＣＣ」とが利用者Ｂの利用者側端末３０に提供され、原稿情報「かきくけこ」とメモ「ＣＣＣ」とがキャンパス２２８に反映される（ステップＳ４）。また、利用者Ｂの利用者側端末３０で、原稿情報２８２に切り替えられ、メモ「ＡＡＡ」、「ＢＢＢ」が入力されると、原稿情報「かきくけこ」とメモ「ＡＡＡ」、「ＢＢＢ」とがキャンパス２２９に表示される（ステップＳ５）。キャンパス２２９に表示された原稿情報２８２とメモ「ＡＡＡ」、「ＢＢＢ」とが利用者Ａの利用者側端末３０に提供され、原稿情報「かきくけこ」とメモ「ＡＡＡ」、「ＢＢＢ」とがキャンパス２３０に反映される（ステップＳ６）。
【００７９】
このように、所定の利用者側端末３０で原稿情報が切り替えられ、その原稿情報上にメモが入力されると、他の利用者側端末３０で表示される原稿情報及びメモを、所定の利用者側端末３０で表示された原稿情報及びメモと同様の表示に反映させ、複数の利用者側端末３０の画面上に原稿情報及びメモを同期して表示させることができる。
【００８０】
次に、表示制御処理でのメモ情報の変更及び削除を行う場合の同期表示処理について説明する。図２１は、メモ情報の変更及び削除を行う場合の同期表示処理について説明するための図である。図２１において、表示制御サーバ２０は、複数の利用者側端末３０のキャンパス上に表示されたメモの変更及び削除を同期させて表示する制御を行う。ここで、利用者Ａ、Ｂの利用者側端末３０のキャンパス２３１に、原稿情報「あいうえお」上の透明シートに利用者Ａにより入力されたメモ（グラフィック）２３５と、利用者Ｂにより入力されたメモ「ＡＢＣＤ」２３６とが同期して表示される（ステップＳ１）。利用者Ａの利用者側端末３０で、利用者Ａにより入力されたメモ２３５が変更され、キャンパス２３２に表示されると、利用者Ｂの利用者側端末３０に変更内容が通知され、利用者Ｂの利用者側端末３０のキャンパス２３２に反映される（ステップＳ２）。次に、利用者Ｂの利用者側端末３０で、利用者Ｂにより入力されたメモ２３６が削除され、キャンパス２３３に表示されると、利用者Ａの利用者側端末３０に削除内容が通知され、利用者Ａの利用者側端末３０キャンパス２３３に反映される（ステップＳ３）。
【００８１】
このように、複数の利用者側端末３０のそれぞれでメモが変更、削除されると、他の利用者側端末３０にメモの変更、削除を通知し、他の利用者側端末３０で表示されるメモに変更、削除を反映させ、複数の利用者側端末３０の画面上にメモの変更、削除を同期して表示させることができる。
【００８２】
次に、表示制御処理での定義情報に基づいたメモ表示処理について説明する。図２２は、定義情報に基づいたメモ表示処理について説明するための図である。図２２において、利用者Ａの利用者側端末３０から利用者Ｂ、Ｃの利用者側端末３０に図１４に示す定義テーブル２６０を転送し、利用者Ｂ、Ｃの利用者側端末３０で定義情報に基づいて、メモ情報ＤＢ２７に格納されたメモ情報２７５の表示を制御する。ここで、原稿情報２８０は原稿情報「あいうえお」とし、メモ情報２７５はメモ「ＡＡＡ」、「ＢＢＢ」、「ＣＣＣ」とする。先ず、表示制御サーバ２０は、複数の利用者側端末３０の要求に基づいて、原稿情報ＤＢ２８に格納された原稿情報２８０を提供する。また、表示制御サーバ２０は、利用者Ａの利用者側端末３０の要求に基づいて、メモ情報ＤＢ２８７に格納されたメモ情報２７５、及び定義情報を提供する（ステップＳ１）。利用者Ａの利用者側端末３０では、提供された原稿情報２８０、メモ情報２７５及び定義情報を対応する各ＤＢに格納し（ステップＳ２）、提供されたメモ情報２７５と定義情報とに基づいて、参照可能なメモ「ＡＡＡ」、「ＢＢＢ」がキャンパス２３７に表示される。利用者Ａの利用者側端末３０は、利用者Ｂ、Ｃの利用者側端末３０にメモ情報２７５、定義情報を提供する（ステップＳ３）。利用者Ｂの利用者側端末３０では、提供されたメモ情報２７５と定義情報とに基づいて、参照可能なメモ「ＡＡＡ」、「ＢＢＢ」がキャンパス２３８に表示される（ステップＳ４）。利用者Ｃの利用者側端末３０では、提供されたメモ情報２７５と定義情報とに基づいて、参照可能なメモ「ＡＡＡ」、「ＣＣＣ」がキャンパス２３８に表示される（ステップＳ５）。
【００８３】
このように、複数の利用者側端末３０のそれぞれで提供されたメモ情報２７５と定義情報とに基づいて、参照可能なメモを表示させることができる。
【００８４】
次に、メモ情報及び定義情報の構造について説明する。図２３は、メモ情報及び定義情報の構造について説明するための図である。図２３において、メモ情報及び定義情報は、所定の原稿情報（ドキュメント）に対して複数の定義情報とメモ情報とが共通する項目で関連付けられている。利用者定義ＤＢ２６に格納された定義情報は、定義テーブル６０、６１等を有する。定義テーブル６０は、本発明の表示制御システムで作成された原稿であるか否かを認証するための認証コードを示す項目と、その原稿情報のドキュメント名（例えばＵＲＬ、ドライブ名とファイル名）を示す項目とで構成される。定義テーブル６１は、定義テーブル６０の認証コードと関連付けられ、図１４に示す定義テーブル２６０と同様の項目で構成されている。また、定義テーブル６１は、利用者側端末３０毎に定義されている。
【００８５】
メモ情報ＤＢ２７に格納されたメモ情報は、メモレベルテーブル６２、メモテーブル６３等を有する。メモレベルテーブル６２は、定義テーブル６０の利用者名項目と関連付けられ、図１３に示すメモレベルテーブル２７０と同様の項目で構成されている。また、メモレベルテーブル６２は、入力されたメモ毎に定義されている。メモテーブル６３は、メモレベルテーブル６２の所定の項目と関連付けられ、タイムスタンプを示す項目と、メモの種類を示す項目と、メモのカラーの種類を示す項目と、フォント又は線の太さを示す項目と、原稿の位置（スクロール位置）を示す項目と、メモ入力開始位置のＸ座標を示す項目と、メモ入力開始位置のＹ座標を示す項目と、メモ入力終了位置のＸ座標を示す項目と、メモ入力終了位置のＹ座標を示す項目と、メモ内容を示す項目とで構成されている。また、メモテーブル６３は、入力されたメモ毎に定義されている。
【００８６】
このようなメモ情報及び定義情報の構造に基づいて上記原稿情報及びメモ情報のそれぞれを効率的に管理することができる。
【００８７】
次に、原稿情報の変更制限処理について説明する。図２４は、原稿情報の変更制限処理について説明するための図である。図２４において、各利用者側端末３０で表示されるキャンパス／透明シート１２０、１２１に対して、予め設定された自動展開処理、変更制限処理が行われる。先ず、システムＡの利用者側端末３０の利用者により、Ｗｅｂサーバー１００からＷｅｂページ１０１がドラック＆ドロップでキャンパス／透明シート１２０に貼り付けられる（ステップＳ１）。また、原稿情報ＤＢ２８に予め格納された原稿情報をドラック＆ドロップでキャンパス／透明シート１２０に貼り付けられる（ステップＳ２）。この時、システムＡの利用者側端末３０では、キャンパス／透明シート１２０の変更可能設定がされているため、常にキャンパス／透明シート１２０に表示されたＷｅｂページ１０１及び原稿情報を変更することができる。キャンパス／透明シート１２０に貼り付けられたＷｅｂページ及び原稿情報の所在地（アドレス）がメモ情報ＤＢ２７に格納される（ステップＳ３）。次に、システムＢの利用者側端末３０は、メモ情報ＤＢ２７に格納されたメモ情報の所在地に基づいて、キャンパス／透明シート１２１にＷｅｂページ及び原稿情報を自動展開する（ステップＳ４）。システムＡ、Ｂの利用者側端末３０でメモが入力されると、各利用者側端末３０のキャンパス／透明シート１２０、１２１上に入力されたメモが同期して表示される。この時、システムＢの利用者側端末３０では、キャンパス／透明シート１２１の変更の禁止設定が行われているため、キャンパス／透明シート１２１の変更が不可能である。
【００８８】
このように、各利用者側端末３０で原稿情報の変更制限処理を行うことにより、システムＡの利用者側端末３０の主導でコミュニケーションを行うことができる。
【００８９】
次に、本発明の表示制御システムで適応可能な利用形態について説明する。図２５は、本発明の表示制御システムにおける利用形態を説明するための図である。本発明の表示制御システムは、図２５に示す利用形態７０〜７２などで適応可能である。利用形態７０において、表示制御サーバ２０のメモ情報ＤＢ２７を共用し、リアルタイムで複数の利用者側端末３０（ｎ対ｎ）で通信が行われ、表示制御サーバ２０によりメモ情報同期させて表示を制御する。また、利用形態７１において、利用者側端末３０のメモ情報ＤＢ２７を利用し、リアルタイムで複数の利用者側端末３０（１対１）で通信が行われ、各利用者側端末３０によりメモ情報を同期させて表示を制御する。また、利用形態７２において、利用者側端末３０のメモ情報ＤＢ２７を利用し、複数の利用者側端末３０（１対１）で電子メールにより送信されたメモ情報に基づいて、各利用者側端末３０で同様の表示を制御する。
【００９０】
このように、上記利用形態７０〜７２で本発明の表示制御システムを適応させ、メモ情報に基づいて各利用者側端末３０でのメモおよび原稿情報の表示を制御することができる。
【００９１】
従って、本発明の表示制御システムにおいて、表示制御サーバが主導利用者側端末の設定要求に応じて電子会議に参加する利用者を定義する定義情報と、主導利用者側端末の設定要求に応じて複数の利用者に共通して利用されるキャンパス情報を管理し、電子会議に参加する利用者を認証し、認証した利用者の利用者側端末にキャンパス情報を送信し、利用者側端末から送信依頼されたメモ情報または、既に表示されていたメモ情報の削除情報を上記定義情報に基づいて、所定の利用者側端末に送信し、また、電子会議に参加する利用者側端末は、キャンパス情報と共に他の参加者が作成し、送信したメモ情報、又は既に表示されていたメモ情報の削除情報を受信し、表示、又は既に表示していたメモ情報を削除し、キャンパス上にメモ情報を作成、表示し、必要に応じて他の参加者に作成者を示す情報を付加して、メモ情報、又は既に送信したメモ情報の削除情報を表示制御サーバーに送信することにより、キャンパス情報及びメモ情報のそれぞれを効率的に管理し、特定の端末でメモ情報を表示可能にさせると共に、複数の端末でメモ情報を共有させ、複数の人々とのコミュニケーションを可能にすることができる。
【００９２】
尚、上記利用形態に限定されることなく、メモ情報の送受信が可能な環境であれば適応可能である。
【００９３】
【発明の効果】
上述の如く本発明によれば、表示制御サーバが主導利用者側端末の設定要求に応じて電子会議に参加する利用者を定義する定義情報と、主導利用者側端末の設定要求に応じて複数の利用者に共通して利用されるキャンパス情報を管理し、電子会議に参加する利用者を認証し、認証した利用者の利用者側端末にキャンパス情報を送信し、利用者側端末から送信依頼されたメモ情報または、既に表示されていたメモ情報の削除情報を上記定義情報に基づいて、所定の利用者側端末に送信し、また、電子会議に参加する利用者側端末は、キャンパス情報と共に他の参加者が作成し、送信したメモ情報、又は既に表示されていたメモ情報の削除情報を受信し、表示、又は既に表示していたメモ情報を削除し、キャンパス上にメモ情報を作成、表示し、必要に応じて他の参加者に作成者を示す情報を付加して、メモ情報、又は既に送信したメモ情報の削除情報を表示制御サーバーに送信することにより、キャンパス情報及びメモ情報のそれぞれを効率的に管理し、特定の端末でメモ情報を表示可能にさせると共に、複数の端末でメモ情報を共有させ、複数の人々とのコミュニケーションを可能にすることができる。
【図面の簡単な説明】
【図１】従来のメモ情報に関するシステムを説明するための図である。
【図２】本発明の実施の一形態に係る表示制御システムにおけるシステム構成図である。
【図３】メモ情報の原理を説明するための図である。
【図４】表示制御サーバを介して実行される表示制御処理におけるフローチャートを示す図である。
【図５】表示制御サーバを介して実行される表示制御処理におけるフローチャートを示す図である。
【図６】表示制御サーバを介して実行される表示制御処理におけるフローチャートを示す図である。
【図７】表示制御サーバで実行される表示制御処理におけるフローチャートを示す図である。
【図８】表示制御サーバで実行される表示制御処理におけるフローチャートを示す図である。
【図９】利用者側端末のみで実行される表示制御処理におけるフローチャートを示す図である。
【図１０】利用者側端末のみで実行される表示制御処理におけるフローチャートを示す図である。
【図１１】利用者側端末のみで実行される表示制御処理におけるフローチャートを示す図である。
【図１２】利用者側端末のみで実行される表示制御処理におけるフローチャートを示す図である。
【図１３】メモ情報ＤＢに格納されるメモレベルテーブルを示す図である。
【図１４】利用者定義ＤＢに格納される定義テーブルを示す図である。
【図１５】メモ作成者とメモ参照者との関係について説明するための図である。
【図１６】メモ情報の出力処理について説明するための図である。
【図１７】メモ情報ＤＢに格納されるタイムスタンプテーブルを示す図である。
【図１８】メモ情報の検索処理について説明するための図である。
【図１９】メモ情報の作成者表示処理について説明するための図である。
【図２０】メモ情報の同期表示処理について説明するための図である。
【図２１】メモ情報の変更及び削除を行う場合の同期表示処理について説明するための図である。
【図２２】定義情報に基づいたメモ表示処理について説明するための図である。
【図２３】メモ情報及び定義情報の構造について説明するための図である。
【図２４】原稿情報の変更制限処理について説明するための図である。
【図２５】本発明の表示制御システムにおける利用形態を説明するための図である。
【符号の説明】
１                  ネットワーク
１０                表示制御システム
２０                表示制御サーバ
２１                同期制御手段
２２                暗号化手段
２３                メモ制御手段
２４                利用者側端末制御手段
２５                通信制御手段
２６                利用者定義ＤＢ
２７                メモ情報ＤＢ
２８                原稿情報ＤＢ
３０                利用者側端末
３１                ページャ制御手段
３２                メモレベル制御手段
１００              Ｗｅｂサーバ
【図１】
2004302698.tif 000003
【図２】
2004302698.tif 000004
【図３】
2004302698.tif 000005
【図４】
2004302698.tif 000006
【図５】
2004302698.tif 000007
【図６】
2004302698.tif 000008
【図７】
2004302698.tif 000009
【図８】
2004302698.tif 000010
【図９】
2004302698.tif 000011
【図１０】
2004302698.tif 000012
【図１１】
2004302698.tif 000013
【図１２】
2004302698.tif 000014
【図１３】
2004302698.tif 000015
【図１４】
2004302698.tif 000016
【図１５】
2004302698.tif 000017
【図１６】
2004302698.tif 000018
【図１７】
2004302698.tif 000019
【図１８】
2004302698.tif 000020
【図１９】
2004302698.tif 000021
【図２０】
2004302698.tif 000022
【図２１】
2004302698.tif 000023
【図２２】
2004302698.tif 000024
【図２３】
2004302698.tif 000025
【図２４】
2004302698.tif 000026
【図２５】
2004302698.tif 000027